(57)【特許請求の範囲】
【請求項１】
豆絞りの製法において、下記の要領と、手順でなる製法であって、
１）  型枠の上下の第１縁と第２縁を利用して、湿り気の処理を行った生地を屏風状に折り畳む、最初に第１縁に布地（絞り生地）を添設し、薄金具板で押え込む、次に、押え込んだ布地に、次の布地を添設し、薄金具板で押え込む、この所作を繰り返して行き、第２縁に到った段階で、所定の長さの前記生地の屏風状の折り畳みが終了し、この終了後に、薄金具板を抜き取る折り畳み工程と、
２）  溝付きの板締絣台を設置し、その上に屏風折りした湿り気を与えた生地（豆絞り用の生地）を載せ、最初に、板締絣台の突縁に一方（手前側）の締付け横杆を添設し、その両端を、両側縁の長手方向の端部より突設し、この一方の締付け横杆の上側（奥面側）に弾性体と一枚、又は数枚の緩衝材を差入れた後、この緩衝材に、前記豆絞り用の生地の手前側を添設しながら、当該板締絣台に載置し、続いて、この湿り気を与えた生地の奥面側に、別の一枚、又は数枚の緩衝材を差入れた後、この別の一枚、又は数枚の緩衝材に、他方（奥面側）の締付け横杆を添設し、その両端を、前記突縁の長手方向の端部より突設し、この豆絞り用の生地を、前記板締絣台にセットして、豆絞り用の生地を備えた板締絣台を、一組造り上げる工程と、
３）  前記２）の作業を繰り返して、豆絞り用の生地を備えた板締絣台を、複数個造り上げる工程と、
４）  前記３）の作業により、造り上げた複数個の豆絞り用の生地を備えた板締絣台を、重ねて複数個とし、この複数個の豆絞り用の生地を備えた板締絣台を保持する為に、複数個の中の上下の豆絞り用の生地を備えた板締絣台に棧木、又は枠板のような枠体を添設し、かつこの枠体をボルトとナットのような緊締具で連繋し、複数個の豆絞り用の生地を備えた板締絣台の重ね合わせ状態を確保する工程と、
５）  前記４）の作業により、造り上げた複数個の中の一個の豆絞り用の生地を備えた板締絣台を、折り畳み方向に圧縮するとともに、前記他方の締付け横杆を押え、この押えた他方の横杆と、前記一方の締付け横杆との間に一本の紐、又はワイヤのような締付け材を設け、この締付け材の締付けで、この一個の豆絞り用の生地を、その折り畳み方向に圧縮した状態を確保する工程と、
６）  前記５）による豆絞り用の生地を、その折り畳み方向に圧縮する作業と、締付け材とによる締付けを、他の豆絞り用の生地においても、順次、行い、複数枚の折り畳み方向に圧縮する工程と、
７）  前記６）の作業により、折り畳み方向に圧縮した前記複数個の板締絣台の複数枚の豆絞り用の生地を、当該複数枚の豆絞り用の生地の折り畳み方向と直交する方向に圧縮する万力手段で、この複数枚の豆絞り用の生地を、直交する方向に圧縮する工程と、
８）  前記７）の作業により、複数枚の豆絞り用の生地を、直交する方向に圧縮するとともに、この直交する方向への圧縮を、前記緊締具の更なる緊締で確保する工程と、
９）  前記８）の作業により、造り上げた前記複数個の折り畳み方向への圧縮と、前記直交する方向への圧縮とが行われた複数枚の豆絞り用の生地を抱持した前記複数個の板締絣台を、染色釜内において漬す染色工程と、
１０）  前記９）の作業により、染め上げた豆絞り布地を処理する工程と、
で構成した豆絞りの製法。
【請求項２】
前記板締絣台に載せた湿り気を与えた生地の水分の含有率（湿り気）は、４０％〜５５％であって、望ましくは、５０％前後とする構成とした請求項１に記載の豆絞りの製法。
【請求項３】
前記板締絣台は、ポリアセタール樹脂（ジュラコン）で形成されている構成とした請求項１に記載の豆絞りの製法。
【発明の詳細な説明】
【技術分野】
【０００１】
本発明は、板締めの技法を原点にし、昔ながらの風合いに限りなく近い「絞り」としての豆絞りを製造できる豆絞りの製法に関する。
【背景技術】
【０００２】
豆絞りという言葉でまず思い浮かぶものは、浮世絵等にも描かれているように「手拭い」と考えられる。即ち、当時の豆絞りは、型紙で下書きした上に豆を置き括る技法であったのが、「括り」の原型であって、その後、様々な技法へと進化する。
【０００３】
一方、元来の「手拭い」としての豆絞りは、時代の流れとともに、量産可能な表現法のものに移り変わり、「絞り」としての技法は消えて行くこととなる。経緯を述べると、「絞り」として注目することになったのは、戦後である。即ち、昭和２５年頃、当時中日新聞に掲載された「幻となった豆絞りの手拭い」の記事を目にしたことがきっかけであると考えられる。その原点は、「絞り」の復活であって、かつ「豆絞りの手拭い」を「絞り」で流通させたいとの考えの元に、大阪の天彌商会、有松の竹田嘉兵衛商店の谷口氏、張正の鵜飼氏らにより模索が始まるが、江戸時代のものを、当時の記述どおりの資源にこだわっていては先に進むことは、かなりの困難である。
【０００４】
この幻となった最大の原因は、量産に適さないことと、良い肌触り（風合い）の製品を造ることが難しかったこと、等にある。そこで、この問題を解消し、かつ製造に適した絞り場所を確保することが優先項目となる。そこで、多彩な技法のある有松・鳴海絞りの中に、活路を見出すとともに、板締めと言う技法（板締め絞り）が最適であることを知見した。
【０００５】
板締め絞りというのは布を屏風状に折り畳んでゆき、板で締め染料に漬す。この技法は、布の浸透力、折り方や板の形、締める位置等によって様々な模様を作り出す技法である。かつ古来の絞りの染色技法については、夾纈（板しめによる染色）、纐纈（括りによる染色）、ろう纈（蝋による染色）が天平染色の三纈として一般にあげられており、板締め絞りは夾纈にあたると考えられている。
【０００６】
その他として、雪花絞りと云われる板締め絞りがあり、通常は、雪の結晶の様に花の模様になるものを、雪花と云いう。雪花絞りは明治１２年鈴木金蔵氏により考案された。主に現在は浴衣であるが、幼児のおしめや海外輸出（南アフリカで衣服）、又は服地として様々な用途等に利用されてきている。
【０００７】
本発明の豆絞りに視られる特徴の規則正しい列に並ぶドット（丸い部分）は、板締め絞りの「布を屏風状に折り畳む」ことにより大筋はクリアでできると考えられたが、やはり簡単なものではなく、本出願人は、試行錯誤を繰り返し、納得のいくものを作り上げるまでに略５年もの歳月を要した。
【０００８】
上記に鑑み、この度、豆絞りの技法を世に知らしめるために出願することと、そのコツを世に知らしめること、を最大の目的とする。
【０００９】
この種の板締め絞りとして特開平６−１０８３８１号公報において、板締め絞りに関しての記述では、「型板を織物に当て、織物を折り畳んだ効果と、型板を当てた効果とを併用して模様を表現する染色技法である。この方法で固定された織物を充分水で湿らした後、色調を調整した染液に浸して染色する。」とされている。従って、その詳細に関しては、何ら開示がない。
【００１０】
【特許文献１】特開平６−１０８３８１号公報
【発明の概要】
【発明が解決しようとする課題】
【００１１】
前述の文献（１）に於いては、板締め絞りに関しての記述はある。しかしながら、その基本の技法（技術）に関する説明、一般に云われているノウハウに相当する技法は、何ら記載されておらず、当業者が理解できる内容ではない。
【００１２】
即ち、この文献（１）では、単に技法を紹介するものであって、型板の構造、又は折り畳み方法等の主要な構成に関しての記載が無く、実施できるのか否かは把握できないこと、併せて、当業者以外では、十分に理解できないと考えられる。
【課題を解決するための手段】
【００１３】
上記に鑑み、本発明は、板締めの技法の一種類である豆絞りに関して、その全てを開示し、当業者を始めとして、愛好者が理解でき、かつ実施に関して疑問が無く、安心して行える（確実に行える）構造と、その実施に最適な説明を紹介することにある。
【発明の効果】
【００１４】
請求項１の発明は、豆絞りの製法において、１）〜１０）に示した最適な要領と、手順とを最適化する製法であって、
１）  型枠の上下の第１縁と第２縁を利用して、湿り気の処理を行った生地を屏風状に折り畳む、最初に第１縁に布地（絞り生地）を添設し、薄金具板で押え込む、押え込んだ布地に、同じ所作を行うとともに、所作を繰り返して行き、第２縁に到った段階で、所定の長さの生地の屏風状の折り畳みが終了し、その後、薄金具板を抜き取る折り畳み工程と、
２）  溝付きの板締絣台を設置し、屏風折りした湿り気を与えた生地（豆絞り用の生地）を載せ、最初に、板締絣台の突縁に一方（手前側）の締付け横杆を添設し、両端を、両側縁の長手方向の端部より突設し、一方の締付け横杆の上側（奥面側）に弾性体と一枚、又は数枚の緩衝材を差入れた後、緩衝材に、豆絞り用の生地の手前側を添設しながら、板締絣台に載置し、豆絞り用の生地の奥面側に、別の一枚、又は数枚の緩衝材を差入れ、別の一枚、又は数枚の緩衝材に、他方（奥面側）の締付け横杆を添設し、両端を、突縁の長手方向の端部より突設し、豆絞り用の生地を、板締絣台にセットして、豆絞り用の生地を備えた板締絣台を、一組造り上げる工程と、
３）  ２）の作業を繰り返して、豆絞り用の生地を備えた板締絣台を、複数個造り上げる工程と、
４）  ３）の作業により、造り上げた複数個の豆絞り用の生地を備えた板締絣台を、重ねて複数個とし、複数個の豆絞り用の生地を備えた板締絣台を保持する為に、複数個の中の上下の豆絞り用の生地を備えた板締絣台に棧木、又は枠板のような枠体を添設し、かつ枠体をボルトとナットのような緊締具で連繋し、複数個の豆絞り用の生地を備えた板締絣台の重ね合わせ状態を確保する工程と、
５）  ４）の作業により、造り上げた複数個の中の一個の豆絞り用の生地を備えた板締絣台を、折り畳み方向に圧縮し、他方の締付け横杆を押え、押えた他方の締付け横杆と、一方の締付け横杆との間に一本の紐、又はワイヤのような締付け材を設け、締付け材の締付けで、一個の豆絞り用の生地を、折り畳み方向に圧縮した状態を確保する工程と、
６）  ５）による豆絞り用の生地を、折り畳み方向に圧縮する作業と、締付け材とによる締付けを、他の豆絞り用の生地においても、順次、行い、複数枚の折り畳み方向に圧縮する工程と、
７）  ６）の作業により、折り畳み方向に圧縮した複数個の板締絣台の複数枚の豆絞り用の生地を、複数枚の豆絞り用の生地の折り畳み方向と直交する方向に圧縮する万力手段で、複数枚の豆絞り用の生地を、直交する方向に圧縮する工程と、
８）  ７）の作業により、複数枚の豆絞り用の生地を、直交する方向に圧縮するとともに、直交する方向への圧縮を、緊締具の更なる緊締で確保する工程と、
９）  ８）の作業により、造り上げた前記複数個の折り畳み方向への圧縮と、直交する方向への圧縮とが行われた複数枚の豆絞り用の生地を抱持した複数個の板締絣台を、染色釜内において漬す染色工程と、
１０）  ９）の作業により、染め上げた豆絞り布地を処理する工程と、
で構成した豆絞りの製法であり、豆絞りに関して、その全ての技法を開示し、当業者を始めとして、愛好者が理解でき、かつ実施に関して疑問が無く、安心して行える（確実に行える）製法で有り、古来の豆絞りの風合いを備えた仕上がりが確保できる。
【００１５】
請求項２の発明は、板締絣台に載せた湿り気を与えた生地の水分の含有率（湿り気）は、４０％〜５５％であって、望ましくは、５０％前後とする構成とした豆絞りの製法であり、豆絞りの豆の形を美麗に形成できることと、古来の豆絞りの風合いを備えた仕上がりとが確保できる。
【００１６】
請求項３の発明は、板締絣台は、ポリアセタール樹脂（ジュラコン）で形成されている構成とした豆絞りの製法であり、板締絣台の耐久性の向上と、豆絞りの豆の形を美麗に形成できること等の特徴がある。
【図面の簡単な説明】
【００１７】
【図１】型枠の第１縁と薄金具板とを利用して絞り生地（生地とする）を屏風状に折り畳む過程を示した俯瞰図
【図２】型枠に生地を屏風状に折り畳んだ完成状態の俯瞰図（染め作業の前日に水で湿らす）
【図３−１】溝を備えた板締絣台を示した俯瞰図
【図３−２】型枠の上に、裏返しにした板締絣台を載せ、その後、板締絣台を表に、併せて型枠を裏にし、この状態で型枠を取外して、図２のように屏風状に折り畳まれかつ湿り気のある生地（湿り生地であって、豆絞り用の生地とする）が板締絣台上に展張した状態の俯瞰図（板締絣台の溝と、折り畳み方向が十文字になるように展張する）
【図４】板締絣台に展張した豆絞り用の生地を、屏風状に折り畳んだ方向に圧縮するために、板締絣台の突縁に一方の締付け横杆を添設し、スポンジ材等の弾性体とゴム製の当板（緩衝材）とを介して、豆絞り用の生地をセットし、かつ豆絞り用の生地の奥面側には、緩衝材と他方の締付け横杆を添設した状態の俯瞰図
【図５】豆絞り用の生地をセットした板締絣台を複数枚重ね合わせ、かつ枠体と緊締具とを介して仮固定した状態の俯瞰図
【図６】板締絣台にセットした豆絞りの生地を、折り畳み方向と直交する方向に圧縮し、その状態を締付け材で締付ける（緊締する）状態の俯瞰図
【図７】図６の工程で成形された折り畳み方向と直交する方向に、さらに万力手段で圧縮する状態の俯瞰図
【図８】図７の工程で成形された複数個の板締絣台を、釜に入れて豆絞りを染色する（漬す）状態を示した俯瞰図
【図９】豆絞り布地が仕上がった状態の俯瞰図
【図１０】図９の工程で仕上がった豆絞り布地を養生している一部省略の俯瞰図
【図１１】豆絞り布地の一例を示した拡大俯瞰図
【発明を実施するための形態】
【００１８】
以下、本発明の好ましい、一実施例を、図面を参照して説明する。
【００１９】
図中１は型枠であり、この型枠１は、図２の如く、底板１００と、この底板１００の上下（手前側１ａと奥面側１ｂ）に第１縁１０１と第２縁１０２とでなる。この型枠１は、第１縁１０１と薄金具板２とを利用し、湿り気を付与する作業を行った絞り生地Ｗ（生地とする）を屏風状に折り畳みセットする道具であり、例えば、図１の如く、生地Ｗの端Ｗ１を、第１縁１０１に添設し、第１縁１０１の高さと略同じとするように、薄金具板２をスケールとして利用する。その後は、薄金具板２を基準として、端Ｗ１の内側を、薄金具板２に添設し、薄金具板２の高さと略同じとするとともに、折り畳み（折り曲げ）端Ｗ１を押え込む。この所作を繰り返して、生地Ｗの折り畳み作業を、第２縁１０２まで進める。この状態が、図２となる。この作業は、染色の前日に行うが、その際に、多数枚の薄金具板２を抜き取る作業をする。尚、この湿り気は、例えば、次のような考え方で行う。
【００２０】
生地Ｗの重量が４００ｇでは、水に漬け８５０〜７００ｇまで脱水する。
【００２１】
（８５０−４００）／８５０＊１００≒５３％
（７００−４００）／７００＊１００≒４３％
大体、５０％前後とする。
【００２２】
前記湿り気を付与する作業は、例えば、前々日に湿らせる。その後、前日に脱水し、そのままの状態で置き、明くる日の作業に備える。その際の湿り気は、前述の例が理想である。また、場合により、再度、水分を付与することも有り得る。何れにしても、折り畳み時に、前述の例の如く、湿り具合を確保する。
【００２３】
図中３は板締絣台３であり、この板締絣台３は、図３−１の如く、手前側の長手方向３ａの全体に立設した突縁３００と、この突縁３００を基点として短手方向３ｂに多数本併設した溝３０１とで構成し、この溝３０１を染料が流れる。そして、この板締絣台３の上に、屏風折りした湿り気を与えた生地ＷО（豆絞り用の生地ＷО）を載せる一例は、板締絣台３を裏返して、型枠１の豆絞り用の生地ＷОの上に載せ、板締絣台３を表にするとともに、型枠１を裏にして、豆絞り用の生地ＷОを表とする。この際に、図３−２の如く、板締絣台３の溝３０１と、折り畳み方向が十文字になるように展張する（十文字に展張することで、豆絞りの原型が染められる）。続いて、最初に、板締絣台３の一方（手前側）の突縁３００に一方（手前側）の締付け横杆５’を添設し、その両端を、板締絣台３（突縁３００）の両側縁３０２、３０３の長手方向３ａの端部より突設し、この一方の締付け横杆５’の上側（奥面側）にスポンジ、その他の弾性部材でなる弾性体６と、一枚、又は数枚のゴム板等でなる緩衝材７とを差入れた後、この緩衝材7に、豆絞り用の生地ＷОを、その手前側を添設しながら、板締絣台３に載置し、続いて、この湿り気を与えた生地ＷОの奥面側に、別の一枚、又は数枚の緩衝材７を差入れた後、この別の一枚、又は数枚の緩衝材７に、他方（奥面側）の締付け横杆５を添設し、その両端を、板締絣台３の両側縁３０２、３０３の長手方向の端部より突設し、この豆絞り用の生地ＷОを、板締絣台３にセットすることで、豆絞り用の生地ＷОを備えた板締絣台３を、一組造り上げる（図２参照）。
【００２４】
前記の如く、十文字に展張することで、豆絞りの原型が染められる。換言すると、溝３０１の部分と折り畳んで重ねてある部分Ｗ２に染料が浸入して、生地Ｗの一面に豆形の粒が染め上がる構造である。
【００２５】
尚、この弾性体６と緩衝材７とを差し込む理由は、以下の通りである。すなわち、豆絞り用の生地ＷОと剛性である横杆５との接触で発生する可能性のある、例えば、豆絞り用の生地ＷОの皺の解消、及び／又は、皺の矯正、並びに豆絞り用の生地ＷОを柔軟に挟み付けること等にある。尚、後述するように横杆５は剛性であることが必要である。
【００２６】
続いて、図２の作業により、造り上げた複数個の豆絞り用の生地ＷＯを備えた板締絣台３を、重ねて複数個とし、この複数個の豆絞り用の生地ＷＯを備えた板締絣台３を保持する為に、複数個の中の上下の豆絞り用の生地ＷＯを備えた板締絣台３の対峙面（重ね合わせた両外側板締絣台３の外面）に棧木、又は枠板のような枠体８を複数本添設し、かつこの対の複数本の枠体８と、この枠体８に差渡したボルトとナットのような緊締具１０で連繋し、図５の如く、複数個の豆絞り用の生地ＷＯを備えた板締絣台３の重ね合わせ状態を確保する。
【００２７】
その後は、図６の如く、造り上げた複数個の中の一個の豆絞り用の生地ＷОを備えた板締絣台３を、折り畳み方向に圧縮するとともに、他方の締付け横杆５を押え、この押えた他方の横杆５と、一方の締付け横杆５’との間に一本の紐、又はワイヤのような締付け材１１を設け、この締付け材１１の締付けで、この一個の豆絞り用の生地ＷОを、その折り畳み方向に圧縮する。図中１２は圧縮用の板を示す。
【００２８】
以上の作業で、複数枚の板締絣台３への豆絞り用の生地ＷОの設置と、この豆絞り用の生地ＷОの折り畳み方向への圧縮が終了する。
【００２９】
次は、図７の如く、折り畳み方向に圧縮し、かつ複数個の板締絣台３の複数枚の豆絞り用の生地ＷОを、その折り畳み方向と直交する方向に圧縮するために、万力機１３を利用する。この万力機１３により、複数枚の豆絞り用の生地ＷОを、直交する方向に圧縮する。即ち、緊締具１０の締付け（緊締）で圧縮状態を確保する。尚、原則として、横杆５に添わせるようにして、当て材５”を設けることで、横杆５の補強と、併せて染料の豆絞り箇所以外への浸透を無くし得ること等に役立ち品質の向上に寄与できる有益性がある。
【００３０】
以上の如く、締付け材１１の締付けで、折り畳み方向に圧縮した複数枚の豆絞り用の生地ＷОと、緊締具１０の締付けで折り畳み方向と直交する方向への圧縮とが完了した複数枚の豆絞り用の生地ＷОを抱持した複数個の板締絣台３を、染色釜１５内に浸漬して染める（図８参照）。
【００３１】
図１０は、前記作業により、染め上げた豆絞り布地ＷО１を、水槽で処理する。
【００３２】
尚、板締絣台３を、ポリアセタール樹脂（ジュラコン）で構成することで、例えば、板締絣台３の耐久性の向上と、豆絞りの豆の形を美麗に形成できること等の特徴がある。更には、安価な豆絞り生地とか、手ぬぐいを提供できる（図１１参照）。
【００３３】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３４】
１  型枠
１ａ  手前側
１ｂ  奥面側
１００  底板
１０１  第１縁
１０２  第２縁
２  薄金具板
３  板締絣台
３ａ  長手方向
３ｂ  短手方向
３００  突縁
３０１  溝
３０２  側縁
３０３  側縁
５  横杆
５’  横杆
５”  当て材
６  弾性体
７  緩衝材
８  枠体
１０  緊締具
１１  締付け材
１２  板
１３  万力機
１５  釜
Ｗ  生地
Ｗ１  端
Ｗ２  部分
ＷО  豆絞り用の生地
ＷО１  豆絞り布地
【図１】
0006656559.tif 000002
【図２】
0006656559.tif 000003
【図３−１】
0006656559.tif 000004
【図３−２】
0006656559.tif 000005
【図４】
0006656559.tif 000006
【図５】
0006656559.tif 000007
【図６】
0006656559.tif 000008
【図７】
0006656559.tif 000009
【図８】
0006656559.tif 000010
【図９】
0006656559.tif 000011
【図１０】
0006656559.tif 000012
【図１１】
0006656559.tif 000013